(57)【要約】  処理室内に複数の基板を積載して収容する工程と、処理室内に複数の基板の基板積載方向に沿って設けられ、基板積載方向の下部から供給するガスの流量よりも上部から供給するガスの流量が多い第１のノズルと、処理室内に基板積載方向に沿って設けられ、基板積載方向の上部から供給するガスの流量よりも下部から供給するガスの流量が多い第２のノズルとから、複数の基板に対して原料ガスを供給する工程と、複数の基板に対して反応ガスを供給する工程と、を有する技術が提供される。
2020194433.tif 000002
【特許請求の範囲】
【請求項１】
処理室内に複数の基板を積載して収容する工程と、
前記処理室内に前記複数の基板の基板積載方向に沿って設けられ、前記基板積載方向の下部から供給するガスの流量よりも上部から供給する前記ガスの流量が多い第１のノズルと、前記処理室内に前記基板積載方向に沿って設けられ、前記基板積載方向の上部から供給する前記ガスの流量よりも下部から供給する前記ガスの流量が多い第２のノズルとから、前記複数の基板に対して原料ガスを供給する工程と、
前記複数の基板に対して反応ガスを供給する工程と、
を有する半導体装置の製造方法。
【請求項２】
前記原料ガスを供給する工程では、前記基板積載方向の下部から上部へ向かって広くなる開口面積を有する複数の供給口を備える前記第１のノズルの前記複数の供給口および前記基板積載方向の上部から下部へ向かって広くなる開口面積を有する複数の供給口を備える前記第２のノズルの前記複数の供給口から、前記原料ガスの分圧バランスを前記基板積載方向に沿って所定の分圧バランスとなるように調整しつつ前記原料ガスを供給する請求項１に記載の半導体装置の製造方法。
【請求項３】
前記反応ガスを供給する工程では、前記処理室に前記基板積載方向に沿って設けられる第３のノズルから前記複数の基板に対して前記反応ガスを供給する請求項１に記載の半導体装置の製造方法。
【請求項４】
前記反応ガスを供給する工程では、前記基板積載方向の下部から供給するガスの流量よりも上部から供給する前記ガスの流量が多い前記第３のノズルおよび前記処理室内に前記基板積載方向に沿って設けられ、前記基板積載方向の上部から供給する前記ガスの流量よりも下部から供給する前記ガスの流量が多い第４のノズルから前記複数の基板に対して前記反応ガスを供給する請求項３に記載の半導体装置の製造方法。
【請求項５】
前記反応ガスを供給する工程では、前記基板積載方向の下部から上部へ向かって広くなる開口面積を有する複数の供給口を備える前記第３のノズルの前記複数の供給孔および前記基板積載方向の上部から下部へ向かって広くなる開口面積を有する複数の供給口を備える前記第４のノズルの前記複数の供給孔から、前記反応ガスの分圧バランスを前記基板積載方向に沿って所定の分圧バランスとなるように調整しつつ前記反応ガスを供給する請求項４に記載の半導体装置の製造方法。
【請求項６】
複数の基板を積載して収容する処理室と、
前記処理室内に前記複数の基板の基板積載方向に沿って設けられ、前記基板積載方向の下部から供給するガスの流量よりも上部から供給するガスの流量が多い第１のノズルと、前記処理室内に前記基板積載方向に沿って設けられ、前記基板積載方向の上部から供給する前記ガスの流量よりも下部から供給する前記ガスの流量が多い第２のノズルと、を備え、前記複数の基板に対して原料ガスを供給する原料ガス供給系と、
前記複数の基板に対して反応ガスを供給する反応ガス供給系と、
を有する基板処理装置。
【請求項７】
前記処理室内の前記複数の基板に対して、前記第１のノズルおよび前記第２のノズルから供給する前記原料ガスの分圧バランスを前記基板積載方向に沿って所定の分圧バランスとなるよう調整しつつ前記原料ガスを供給する処理を行うことが可能なように、前記原料ガス供給系を制御するよう構成される制御部を有する請求項６に記載の基板処理装置。
【請求項８】
前記第１のノズルは前記基板積載方向の下部から上部へ向かって広くなる開口面積を有する複数の供給口を備え、前記第２のノズルは前記基板積載方向の上部から下部へ向かって広くなる開口面積を有する複数の供給口を備える請求項６に記載の基板処理装置。
【請求項９】
前記反応ガス供給系は、前記処理室内に前記基板積載方向に沿って設けられ、前記複数の基板に対して前記反応ガスを供給する第３のノズルを有する請求項６に記載の基板処理装置。
【請求項１０】
前記反応ガス供給系は、前記処理室内に前記基板積載方向に沿って設けられ、前記複数の基板に対して前記反応ガスを供給する第４のノズルを更に備え、
前記第３のノズルは、前記基板積載方向の下部から供給するガスの流量よりも上部から供給する前記ガスの流量が多いノズルであり、前記第４のノズルは、前記基板積載方向の上部から供給する前記ガスの流量よりも下部から供給する前記ガスの流量が多いノズルである請求項９に記載の基板処理装置。
【請求項１１】
前記処理室内の前記複数の基板に対して、前記第３のノズルおよび前記第４のノズルから供給する前記反応ガスの分圧バランスを前記基板積載方向に沿って所定の分圧バランスとなるよう調整しつつ前記反応ガスを供給する処理を行うことが可能なように、前記反応ガス供給系を制御するよう構成される制御部を有する請求項１０に記載の基板処理装置。
【請求項１２】
前記第３のノズルは前記基板積載方向の下部から上部へ向かって広くなる開口面積を有する複数の供給口を備え、前記第４のノズルは前記基板積載方向の上部から前記下部へ向かって広くなる開口面積を有する複数の供給口を備える請求項１０に記載の基板処理装置。
【請求項１３】
複数の基板を積載して収容する処理室と、
前記複数の基板に対して処理ガスを供給する処理ガス供給系と、
前記処理室内に前記複数の基板の基板積載方向に沿って設けられ、前記基板積載方向の下部から供給するガスの流量よりも上部から供給するガスの流量が多い第１のノズルと、前記処理室内に前記基板積載方向に沿って設けられ、前記基板積載方向の上部から供給する前記ガスの流量よりも下部から供給する前記ガスの流量が多い第２のノズルと、を備え、前記複数の基板に対して不活性ガスを供給する不活性ガス供給系と、
前記第１のノズルおよび前記第２のノズルから供給される不活性ガスにより、前記処理ガスの濃度分布を前記基板積載方向に沿って所定の濃度分布となるように、前記処理ガス供給系および前記不活性ガス供給系とを制御することが可能なよう構成される制御部と、
を有する基板処理装置。
【請求項１４】
基板処理装置の処理室内に複数の基板を積載して収容する手順と、
前記処理室内に前記複数の基板の基板積載方向に沿って設けられ、前記基板積載方向の下部から供給するガスの流量よりも上部から供給する前記ガスの流量が多い第１のノズルと、前記処理室内に前記基板積載方向に沿って設けられ、前記基板積載方向の上部から供給する前記ガスの流量よりも下部から供給する前記ガスの流量が多い第２のノズルとから、前記複数の基板に対して原料ガスを供給する手順と、
前記複数の基板に対して反応ガスを供給する手順と、
をコンピュータによって前記基板処理装置に実行させるプログラム。
【請求項１５】
前記原料ガスを供給する手順では、前記基板積載方向の下部から上部へ向かって広くなる開口面積を有する複数の供給口を備える前記第１のノズルの前記複数の供給孔および前記基板積載方向の上部から下部に向かって広くなる開口面積を有する複数の供給口を備える前記第２のノズルの前記複数の供給孔から、前記前記原料ガスの分圧バランスを前記基板積載方向に沿って所定の分圧バランスとなるように調整しつつ前記原料ガスを供給する請求項１４に記載のプログラム。
【請求項１６】
前記反応ガスを供給する手順では、前記処理室内に前記基板積載方向に沿って設けられる第３のノズルから前記複数の基板に対して前記反応ガスを供給する請求項１４に記載のプログラム。
【請求項１７】
前記反応ガスを供給する手順では、前記基板積載方向の下部から供給するガスの流量よりも上部から供給する前記ガスの流量が多い前記第３のノズルおよび前記処理室内に前記基板積載方向に沿って設けられ、前記基板積載方向の上部から供給する前記ガスの流量よりも下部から供給する前記ガスの流量が多い第４のノズルから前記複数の基板に対して前記反応ガスを供給する請求項１６に記載のプログラム。
【請求項１８】
前記反応ガスを供給する手順では、前記基板積載方向の下部から上部へ向かって広くなる開口面積を有する複数の供給口を備える前記第３のノズルの前記複数の供給孔および前記基板積載方向の上部から下部へ向かって広くなる開口面積を有する複数の供給口を備える前記第４のノズルの前記複数の供給孔から、前記反応ガスの分圧バランスを前記基板積載方向に沿って所定の分圧バランスとなるように調整しつつ前記反応ガスを供給する請求項１７に記載のプログラム。
【発明の詳細な説明】
【技術分野】
【０００１】
本開示は、半導体装置の製造方法、基板処理装置及びプログラムに関する。
【背景技術】
【０００２】
縦型成膜装置で、多孔ノズルを用いて基板にガス供給し成膜した場合、ボート上部側に装填された基板上の膜厚と、ボート下部側に装填された基板上の膜厚に差が生じ、基板間における膜厚均一性が悪化することがある（特許文献１等）。
【先行技術文献】
【特許文献】
【０００３】
【特許文献１】特開２０１７−５４９２５号公報
【発明の概要】
【発明が解決しようとする課題】
【０００４】
本開示は、処理室内に積載された複数の基板において、各基板の面間の膜厚バランスを調整することが可能な技術を提供することを目的とする。
【課題を解決するための手段】
【０００５】
本開示の一態様によれば、
処理室内に複数の基板を積載して収容する工程と、
前記処理室内に前記複数の基板の基板積載方向に沿って設けられ、前記基板積載方向の下部から供給するガスの流量よりも上部から供給する前記ガスの流量が多い第１のノズルと、前記処理室内に前記基板積載方向に沿って設けられ、前記基板積載方向の上部から供給する前記ガスの流量よりも下部から供給する前記ガスの流量が多い第２のノズルとから、前記複数の基板に対して原料ガスを供給する工程と、前記複数の基板に対して反応ガスを供給する工程と、
を有する技術が提供される。
【発明の効果】
【０００６】
本開示によれば、処理室内に積載された複数の基板において、各基板の面間の膜厚バランスを調整することが可能である。
【図面の簡単な説明】
【０００７】
【図１】本開示の第１の実施形態における基板処理装置の縦型処理炉の概略を示す縦断面図である。
【図２】本開示の第１の実施形態におけるガス供給系の概略構成図である。
【図３】本開示の第１の実施形態におけるノズル４１０ａのガス供給孔４１１ａの構成を概念的に示す図である。
【図４】本開示の第１の実施形態におけるノズル４１０ｂのガス供給孔４１１ｂの構成を概念的に示す図である。
【図５】図１におけるＡ−Ａ線概略横断面図である。
【図６】本開示の第１の実施形態における基板処理装置のコントローラの概略構成図であり、コントローラの制御系をブロック図で示す図である。
【図７】本開示の第１の実施形態における基板処理装置の動作を示すフロー図である。
【図８】本開示の第１の実施形態におけるノズル４１０ａ，４１０ｂに供給されるＴｉＣｌ４ガスの流量の調整とその効果を説明するための図である。
【図９】本開示の第１の実施形態におけるノズル４１０ａ，４１０ｂに供給されるＴｉＣｌ４ガスの流量の調整とその効果を説明するための図である。
【図１０】本開示の第２の実施形態におけるガス供給系の概略構成図である。
【図１１】図１におけるＡ−Ａ線概略横断面図である。
【図１２】本開示の第２の実施形態におけるノズル４１０ａ，４１０ｂに供給されるＴｉＣｌ４ガスおよびノズル４２０ａ，４２０ｂに供給されるＮ２ガスの流量の調整とその効果を説明するための図である。
【発明を実施するための形態】
【０００８】
＜第１の実施形態＞
以下、本開示の第１の実施形態について、図１〜図７を参照しながら説明する。基板処理装置１０は半導体装置の製造工程において使用される装置の一例として構成されている。
【０００９】
（１）基板処理装置の構成
基板処理装置１０は、加熱手段（加熱機構、加熱系）としてのヒータ２０７が設けられた処理炉２０２を備える。ヒータ２０７は円筒形状であり、保持板としてのヒータベース（図示せず）に支持されることにより垂直に据え付けられている。
【００１０】
ヒータ２０７の内側には、ヒータ２０７と同心円状に反応容器（処理容器）を構成するアウタチューブ２０３が配設されている。アウタチューブ２０３は、例えば石英（ＳｉＯ２）、炭化シリコン（ＳｉＣ）などの耐熱性材料により構成され、上端が閉塞し下端が開口した円筒形状に形成されている。アウタチューブ２０３の下方には、アウタチューブ２０３と同心円状に、マニホールド（インレットフランジ）２０９が配設されている。マニホールド２０９は、例えばステンレス（ＳＵＳ）などの金属により構成され、上端及び下端が開口した円筒形状に形成されている。マニホールド２０９の上端部と、アウタチューブ２０３との間には、シール部材としてのＯリング２２０ａが設けられている。マニホールド２０９がヒータベースに支持されることにより、アウタチューブ２０３は垂直に据え付けられた状態となる。
【００１１】
アウタチューブ２０３の内側には、反応容器を構成するインナチューブ２０４が配設されている。インナチューブ２０４は、例えば石英）、ＳｉＣなどの耐熱性材料により構成され、上端が閉塞し下端が開口した円筒形状に形成されている。主に、アウタチューブ２０３と、インナチューブ２０４と、マニホールド２０９とにより処理容器（反応容器）が構成されている。処理容器の筒中空部（インナチューブ２０４の内側）には処理室２０１が形成されている。
【００１２】
処理室２０１は、基板としてのウエハ２００を後述するボート２１７によって水平姿勢で鉛直方向に多段に配列した状態で収容可能に構成されている。図４に示すように、処理室２０１内には、ノズル４１０ａ（第１のノズル），４１０ｂ（第２のノズル），４２０ａ（第３のノズル）がマニホールド２０９の側壁及びインナチューブ２０４を貫通するように設けられている。ノズル４１０ａ，４１０ｂ，４２０ａには、ガス供給ラインとしてのガス供給管３１０ａ，３１０ｂ，３２０ａが、それぞれ接続されている。このように、基板処理装置１０には３本のノズル４１０ａ，４１０ｂ，４２０ａと、３本のガス供給管３１０ａ，３１０ｂ，３２０ａとが設けられており、処理室２０１内へ複数種類のガスを供給することができるように構成されている。ただし、本実施形態の処理炉２０２は上述の形態に限定されない。
【００１３】
図１、２に示すように、ガス供給管３１０ａ，３１０ｂ，３２０ａには上流側から順に流量制御器（流量制御部）であるマスフローコントローラ（ＭＦＣ）３１２ａ，３１２ｂ，３２２ａ及び開閉弁であるバルブ３１４ａ，３２４ｂ，３２４ａがそれぞれ設けられている。また、ガス供給管３１０ａ，３１０ｂ，３２０ａのバルブ３１４ａ，３１４ｂ，３２４ａの下流側には、不活性ガスを供給するガス供給管５１０ａ，５１０ｂ，５２０ａがそれぞれ接続されている。ガス供給管５１０ａ，５１０ｂ，５２０ａには、上流側から順に、ＭＦＣ５１２ａ，５１２ｂ，５２２ａ及びバルブ５１４ａ，５１４ｂ，５２４ａがそれぞれ設けられている。
【００１４】
ガス供給管３１０ａ，３１０ｂ，３２０ａの先端部にはノズル４１０ａ，４１０ｂ，４２０ａがそれぞれ連結接続されている。ノズル４１０ａ，４１０ｂ，４２０ａは、Ｌ字型のノズルとして構成されており、その水平部はマニホールド２０９の側壁及びインナチューブ２０４を貫通するように設けられている。ノズル４１０ａ，４１０ｂ，４２０ａの垂直部は、インナチューブ２０４の径方向外向きに突出し、かつ鉛直方向に延在するように形成されているチャンネル形状（溝形状）の予備室２０１ａの内部に設けられており、予備室２０１ａ内にてインナチューブ２０４の内壁に沿って上方（ウエハ２００の配列方向上方）に向かって設けられている。
【００１５】
ノズル４１０ａ，４１０ｂ，４２０ａは、処理室２０１の下部領域から処理室２０１の上部領域まで延在するように設けられており、ウエハ２００と対向する位置にそれぞれ複数のガス供給孔４１１ａ，４１１ｂ，４２１ａが設けられている。これにより、ノズル４１０ａ，４１０ｂ，４２０ａのガス供給孔（供給口）４１１ａ，４１１ｂ，４２１ａからそれぞれウエハ２００に処理ガスを供給する。このガス供給孔４２１ａは、インナチューブ２０４の下部から上部にわたって複数設けられ、それぞれ同一の開口面積を有し、さらに同一の開口ピッチで設けられている。ただし、ガス供給孔４２１ａは上述の形態に限定されない。例えば、インナチューブ２０４の下部から上部に向かって開口面積を徐々に大きくしてもよい。これにより、ガス供給孔４２１ａから供給されるガスの流量をより均一化することが可能となる。ノズル４１０ａのガス供給孔４１１ａの構成については図３を用いて、ノズル４１０ｂのガス供給孔４１１ｂの構成については図４を用いて、以下に、詳細に説明する。
【００１６】
ノズル４１０ａ，４１０ｂ，４２０ａの下部（上流側）とは、処理室２０１内にウエハ２００の積載方向（基板積載方向）に沿って立設されたノズル４１０ａ，４１０ｂ，４２０ａの下部側、ノズル４１０ａ，４１０ｂ，４２０ａへの処理ガスの供給元とされる側、または、ノズル４１０ａ，４１０ｂ，４２０ａ内における処理ガスの流れの上流側を意味する。ノズル４１０ａ，４１０ｂ，４２０ａの上部（下流側）とは、処理室２０１内にウエハ２００の積載方向に沿って立設されたノズル４１０ａ，４１０ｂ，４２０ａの上部側、または、ノズル４１０ａ，４１０ｂ，４２０ａ内における処理ガスの流れの下流側を意味する。
【００１７】
ノズル４１０ａに設けられる複数のガス供給孔４１１ａは、ウエハ２００と対向する位置に、ノズル４１０ａの下部（上流側）からノズル４１０ａの上部（下流側）にわたって複数設けられる。ノズル４１０ａに設けられる複数のガス供給孔４１１ａの孔径φ（開口面積）は、下部（上流側）の孔径が小さく、上部（下流側）の孔径が大きくされている。すなわち、ノズル４１０ａに設けられる複数のガス供給孔４１１ａの孔径は、ノズル４１０ａの上流側から下流側へ向かって、広くなる開口面積を備えている。
【００１８】
ノズル４１０ａの複数のガス供給孔４１１ａが設けられている領域を、Ｙとした場合、領域Ｙは、下部（上流側）から上部（下流側）に向かって、領域Ｙ（１）、領域Ｙ（２）、領域Ｙ（３）、・・・、領域Ｙ（ｎ−１）、および、領域Ｙ（ｎ）を有する。領域Ｙ（１）には、孔径φがＡ（１）ｍｍ、ピッチがＸｍｍ、個数Ｙ（１）のガス供給孔４１１ａが設けられる。領域Ｙ（２）には、孔径φがＡ（２）ｍｍ、ピッチがＸｍｍ、個数Ｙ（２）のガス供給孔４１１ａが設けられる。領域Ｙ（３）には、孔径φがＡ（３）ｍｍ、ピッチがＸｍｍ、個数Ｙ（３）のガス供給孔４１１ａが設けられる。同様に、領域Ｙ（ｎ−１）には、孔径φがＡ（ｎ−１）ｍｍ、ピッチがＸｍｍ、個数Ｙ（ｎ−１）のガス供給孔４１１ａが設けられる。領域Ｙ（ｎ）には、孔径φがＡ（ｎ）ｍｍ、ピッチがＸｍｍ、個数Ｙ（ｎ）のガス供給孔４１１ａが設けられる。
【００１９】
各領域（Ｙ１）、・・・、Ｙ（ｎ）に設けられるガス供給孔４１１ａの孔径φの関係は、以下で表される。
φ：Ａ（ｎ）＞Ａ（１）、Ａ（２）、Ａ（３）、・・・、Ａ（ｎ-１）
例えば、孔径φの絶対値が、０.５ｍｍから３.０ｍｍの範囲において、Ａ（ｎ）とＡ（１）との相対的な比率は、１：１.０１−１：６の範囲とするのが良い。ガス供給孔４１１ａ，の孔径はガス供給孔４１１ａからのガスの流量が上流側から下流側へ向かうにつれて大きくなるように設定される。
【００２０】
ノズル４１０ｂに設けられる複数のガス供給孔４１１ｂは、ウエハ２００と対向する位置に、ノズル４１０ｂの下部（上流側）からノズル４１０ｂの上部（下流側）にわたって複数設けられる。ノズル４１０ｂに設けられる複数のガス供給孔４１１ｂの孔径φ（開口面積）は、下部（上流側）の孔径が大きく、上部（下流側）の孔径が小さくされている。すなわち、ノズル４１０ｂに設けられる複数のガス供給孔４１１ｂの孔径は、ノズル４１０ｂの下流側から上流側へ向かって、広くなる開口面積を備えている。
【００２１】
ノズル４１０ｂの複数のガス供給孔４１１ｂが設けられている領域を、Ｙとした場合、領域Ｙは、下部（上流側）から上部（下流側）に向かって、領域Ｙ（１）、領域Ｙ（２）、領域Ｙ（３）、・・・、領域Ｙ（ｎ−１）、および、領域Ｙ（ｎ）を有する。領域Ｙ（１）には、孔径φがＢ（１）ｍｍ、ピッチがＸｍｍ、個数Ｙ（１）のガス供給孔４１１ｂが設けられる。領域Ｙ（２）には、孔径φがＢ（２）ｍｍ、ピッチがＸｍｍ、個数Ｙ（２）のガス供給孔４１１ｂが設けられる。領域Ｙ（３）には、孔径φがＢ（３）ｍｍ、ピッチがＸｍｍ、個数Ｙ（３）のガス供給孔４１１ｂが設けられる。同様に、領域Ｙ（ｎ−１）には、孔径φがＢ（ｎ−１）ｍｍ、ピッチがＸｍｍ、個数Ｙ（ｎ−１）のガス供給孔４１１ｂが設けられる。領域Ｙ（ｎ）には、孔径φがＢ（ｎ）ｍｍ、ピッチがＸｍｍ、個数Ｙ（ｎ）のガス供給孔４１１ｂが設けられる。
【００２２】
各領域（Ｙ１）、・・・、Ｙ（ｎ）に設けられるガス供給孔４１１ｂの孔径φの関係は、以下で表される。
φ：Ｂ（１）＞Ｂ（２）、Ｂ（３）、・・・、Ｂ（ｎ-１）、Ｂ（ｎ）
例えば、孔径φの絶対値が、０.５ｍｍから３.０ｍｍの範囲において、Ｂ（１）とＢ（ｎ）との相対的な比率は、１：１.０１−１：６の範囲とするのが良い。ガス供給孔４１１ｂの孔径はガス供給孔４１１ｂからのガスの流量が下流側から上流側へ向かうにつれて大きくなるように設定される。
【００２３】
以上の構成とすることにより、ノズル４１０ａ，４１０ｂの各ガス供給孔４１１ａ，４１１ｂから処理室２０１内に供給される処理ガスの流量を調整することで、処理室２０１内における処理ガスの分圧バランスが所望の分圧バランスの値となる様に調整可能になる。
【００２４】
ノズル４１０ａ，４１０ｂ，４２０ａのガス供給孔４１１ａ，４１１ｂ，４２１ａは、後述するボート２１７の下部から上部までの高さの位置に複数設けられている。そのため、ノズル４１０ａ，４１０ｂ，４２０ａのガス供給孔４１１ａ，４１１ｂ，４２１ａから処理室２０１内に供給された処理ガスは、ボート２１７の下部から上部までに収容されたウエハ２００、すなわちボート２１７に収容されたウエハ２００の全域に供給される。ノズル４１０ａ，４１０ｂ，４２０ａは、処理室２０１の下部領域から上部領域まで延在するように設けられていればよいが、ボート２１７の天井付近まで延在するように設けられていることが好ましい。
【００２５】
ガス供給管３１０ａ，３１０ｂからは、処理ガスとして、第１の金属元素を含む原料ガス（第１の金属含有ガス、第１の原料ガス）が、それぞれＭＦＣ３１２ａ，３１２ｂ、バルブ３１４ａ，３１４ｂ、ノズル４１０ａ，４１０ｂを介して処理室２０１内に供給される。原料としては、例えば第１の金属元素としてのチタン（Ｔｉ）を含み、ハロゲン系原料（ハロゲン化物、ハロゲン系チタン原料とも称する）としての四塩化チタン（ＴｉＣｌ４）が用いられる。
【００２６】
ガス供給管３２０ａからは、処理ガスとして、反応ガス（原料ガスとは分子構造（化学構造）が異なる反応ガス）が、ＭＦＣ３２２ａ、バルブ３２４ａ、ノズル４２０ａを介して処理室２０１内に供給される。反応ガスとしては、例えば窒素（Ｎ）を含むＮ含有ガスとしての例えばアンモニア（ＮＨ３）ガスを用いることができる。ＮＨ３は窒化・還元剤（窒化・還元ガス）として作用する。
【００２７】
ガス供給管５１０ａ，５１０ｂ，５２０ａからは、不活性ガスとして、例えば窒素（Ｎ２）ガスが、それぞれＭＦＣ５１２ａ，５１２ｂ，５２２ａ、バルブ５１４ａ，５１４ｂ，５２４ａ、ノズル４１０ａ，４１０ｂ，４２０ａを介して処理室２０１内に供給される。なお、以下、不活性ガスとしてＮ２ガスを用いる例について説明するが、不活性ガスとしては、Ｎ２ガス以外に、例えば、アルゴン（Ａｒ）ガス、ヘリウム（Ｈｅ）ガス、ネオン（Ｎｅ）ガス、キセノン（Ｘｅ）ガス等の希ガスを用いてもよい。
【００２８】
主に、ガス供給管３１０ａ，３１０ｂ，３２０ａ、ＭＦＣ３１２ａ，３１２ｂ，３２２ａ、バルブ３１４ａ，３１４ｂ，３２４ａ、ノズル４１０ａ，４１０ｂ，４２０ａにより処理ガス供給系が構成されるが、ノズル４１０ａ，４１０ｂ，４２０ａのみを処理ガス供給系と考えてもよい。処理ガス供給系を、単に、ガス供給系と称することもできる。ガス供給管３１０ａ，３１０ｂから原料ガスを流す場合、主に、ガス供給管３１０ａ，３１０ｂ、ＭＦＣ３１２ａ，３１２ｂ、バルブ３１４ａ，３１４ｂにより原料ガス供給系が構成されるが、ノズル４１０ａ，４１０ｂを原料ガス供給系に含めて考えてもよい。また、原料ガス供給系を原料供給系と称することもできる。原料ガスとして金属含有原料ガスを用いる場合、原料ガス供給系を金属含有原料ガス供給系と称することもできる。ガス供給管３２０ａから反応ガスを流す場合、主に、ガス供給管３２０ａ、ＭＦＣ３２２ａ、バルブ３２４ａにより反応ガス供給系が構成されるが、ノズル４２０ａを反応ガス供給系に含めて考えてもよい。ガス供給管３２０ａから反応ガスとして窒素含有ガスを供給する場合、反応ガス供給系を窒素含有ガス供給系と称することもできる。また、主に、ガス供給管５１０ａ，５１０ｂ，５２０ａ、ＭＦＣ５１２ａ，５１２ｂ，５２２ａ，バルブ５１４ａ，５１４ｂ，５２４ａにより不活性ガス供給系が構成される。不活性ガス供給系を、パージガス供給系、希釈ガス供給系、或いは、キャリアガス供給系と称することもできる。
【００２９】
本実施形態におけるガス供給の方法は、インナチューブ２０４の内壁と、複数枚のウエハ２００の端部とで定義される円環状の縦長の空間内、すなわち、円筒状の空間内の予備室２０１ａ内に配置したノズル４１０ａ，４１０ｂ，４２０ａを経由してガスを搬送している。そして、ノズル４１０ａ，４１０ｂ，４２０ａのウエハと対向する位置に設けられた複数のガス供給孔４１１ａ，４１１ｂ，４２１ａからインナチューブ２０４内にガスを噴出させている。より詳細には、ノズル４１０ａ，４１０ｂのガス供給孔４１１ａ，４１１ｂ、ノズル４２０ａのガス供給孔４２１ａにより、ウエハ２００の表面と平行方向、すなわち水平方向に向かって原料ガス等の処理ガスを噴出させている。
【００３０】
排気孔（排気口）２０４ａは、インナチューブ２０４の側壁であってノズル４１０ａ，４１０ｂ，４２０ａに対向した位置、すなわち予備室２０１ａとは１８０度反対側の位置に形成された貫通孔であり、例えば、鉛直方向に細長く開設されたスリット状の貫通孔である。そのため、ノズル４１０ａ，４１０ｂ，４２０ａのガス供給孔４１１ａ，４１１ｂ，４２１ａから処理室２０１内に供給され、ウエハ２００の表面上を流れたガス、すなわち、残留するガス（残ガス）は、排気孔２０４ａを介してインナチューブ２０４とアウタチューブ２０３との間に形成された隙間により構成される排気路２０６内に流れる。そして、排気路２０６内へと流れたガスは、排気管２３１内に流れ、処理炉２０２外へと排出される。
【００３１】
排気孔２０４ａは、複数のウエハ２００と対向する位置（好ましくはボート２１７の上部から下部と対向する位置）に設けられており、ガス供給孔４１１ａ，４１１ｂ，４２１ａから処理室２０１内のウエハ２００の近傍に供給されたガスは、水平方向、すなわちウエハ２００の表面と平行方向に向かって流れた後、排気孔２０４ａを介して排気路２０６内へと流れる。すなわち、処理室２０１に残留するガスは、排気孔２０４ａを介してウエハ２００の主面に対して平行に排気される。なお、排気孔２０４ａはスリット状の貫通孔として構成される場合に限らず、複数個の孔により構成されていてもよい。
【００３２】
マニホールド２０９には、処理室２０１内の雰囲気を排気する排気管２３１が設けられている。排気管２３１には、上流側から順に、処理室２０１内の圧力を検出する圧力検出器（圧力検出部）としての圧力センサ２４５，ＡＰＣ（Ａｕｔｏ  Ｐｒｅｓｓｕｒｅ  Ｃｏｎｔｒｏｌｌｅｒ）バルブ２４３，真空排気装置としての真空ポンプ２４６が接続されている。ＡＰＣバルブ２４３は、真空ポンプ２４６を作動させた状態で弁を開閉することで、処理室２０１内の真空排気及び真空排気停止を行うことができ、更に、真空ポンプ２４６を作動させた状態で弁開度を調節することで、処理室２０１内の圧力を調整することができる。主に、排気孔２０４ａ，排気路２０６，排気管２３１，ＡＰＣバルブ２４３及び圧力センサ２４５により、排気系すなわち排気ラインが構成される。なお、真空ポンプ２４６を排気系に含めて考えてもよい。
【００３３】
マニホールド２０９の下方には、マニホールド２０９の下端開口を気密に閉塞可能な炉口蓋体としてのシールキャップ２１９が設けられている。シールキャップ２１９は、マニホールド２０９の下端に鉛直方向下側から当接されるように構成されている。シールキャップ２１９は、例えばＳＵＳ等の金属により構成され、円盤状に形成されている。シールキャップ２１９の上面には、マニホールド２０９の下端と当接するシール部材としてのＯリング２２０ｂが設けられている。シールキャップ２１９における処理室２０１の反対側には、ウエハ２００を収容するボート２１７を回転させる回転機構２６７が設置されている。回転機構２６７の回転軸２５５は、シールキャップ２１９を貫通してボート２１７に接続されている。回転機構２６７は、ボート２１７を回転させることでウエハ２００を回転させるように構成されている。シールキャップ２１９は、アウタチューブ２０３の外部に垂直に設置された昇降機構としてのボートエレベータ１１５によって鉛直方向に昇降されるように構成されている。ボートエレベータ１１５は、シールキャップ２１９を昇降させることで、ボート２１７を処理室２０１内外に搬入及び搬出することが可能なように構成されている。ボートエレベータ１１５は、ボート２１７及びボート２１７に収容されたウエハ２００を、処理室２０１内外に搬送する搬送装置（搬送機構）として構成されている。
【００３４】
基板支持具としてのボート２１７は、複数枚、例えば２５〜２００枚のウエハ２００を、水平姿勢で、かつ、互いに中心を揃えた状態で鉛直方向に整列させて多段に支持するように、すなわち、間隔を空けて配列させるように構成されている。ボート２１７は、例えば石英やＳｉＣ等の耐熱性材料により構成される。ボート２１７の下部には、例えば石英やＳｉＣ等の耐熱性材料により構成される断熱板２１８が水平姿勢で多段（図示せず）に支持されている。この構成により、ヒータ２０７からの熱がシールキャップ２１９側に伝わりにくくなっている。ただし、本実施形態は上述の形態に限定されない。例えば、ボート２１７の下部に断熱板２１８を設けずに、石英やＳｉＣ等の耐熱性材料により構成される筒状の部材として構成された断熱筒を設けてもよい。
【００３５】
図５に示すように、インナチューブ２０４内には温度検出器としての温度センサ２６３が設置されており、温度センサ２６３により検出された温度情報に基づきヒータ２０７への通電量を調整することで、処理室２０１内の温度が所望の温度分布となるように構成されている。温度センサ２６３は、ノズル４１０ａ，４１０ｂおよび４２０ａと同様にＬ字型に構成されており、インナチューブ２０４の内壁に沿って設けられている。
【００３６】
図６に示すように、制御部（制御手段）であるコントローラ１２１は、ＣＰＵ（Ｃｅｎｔｒａｌ  Ｐｒｏｃｅｓｓｉｎｇ  Ｕｎｉｔ）１２１ａ，ＲＡＭ（Ｒａｎｄｏｍ  Ａｃｃｅｓｓ  Ｍｅｍｏｒｙ）１２１ｂ，記憶装置１２１ｃ，Ｉ／Ｏポート１２１ｄを備えたコンピュータとして構成されている。ＲＡＭ１２１ｂ，記憶装置１２１ｃ，Ｉ／Ｏポート１２１ｄは、内部バスを介して、ＣＰＵ１２１ａとデータ交換可能なように構成されている。コントローラ１２１には、例えばタッチパネル等として構成された入出力装置１２２が接続されている。
【００３７】
記憶装置１２１ｃは、例えばフラッシュメモリ、ＨＤＤ（Ｈａｒｄ  Ｄｉｓｋ  Ｄｒｉｖｅ）等で構成されている。記憶装置１２１ｃ内には、基板処理装置の動作を制御する制御プログラム、後述する半導体装置の製造方法の手順や条件などが記載されたプロセスレシピなどが、読み出し可能に格納されている。プロセスレシピは、後述する半導体装置の製造方法における各工程（各ステップ）をコントローラ１２１に実行させ、所定の結果を得ることができるように組み合わされたものであり、プログラムとして機能する。以下、このプロセスレシピ、制御プログラム等を総称して、単に、プログラムともいう。本明細書においてプログラムという言葉を用いた場合は、プロセスレシピ単体のみを含む場合、制御プログラム単体のみを含む場合、または、プロセスレシピ及び制御プログラムの組み合わせを含む場合がある。ＲＡＭ１２１ｂは、ＣＰＵ１２１ａによって読み出されたプログラムやデータ等が一時的に保持されるメモリ領域（ワークエリア）として構成されている。
【００３８】
Ｉ／Ｏポート１２１ｄは、上述のＭＦＣ３１２ａ，３１２ｂ，３２２ａ，５１２ａ，５１２ｂ，５２２ａ、バルブ３１４ａ，３１４ｂ，３２４ａ，５１４ａ，５１４ｂ，５２４ａ、圧力センサ２４５、ＡＰＣバルブ２４３、真空ポンプ２４６、ヒータ２０７、温度センサ２６３、回転機構２６７、ボートエレベータ１１５等に接続されている。
【００３９】
ＣＰＵ１２１ａは、記憶装置１２１ｃから制御プログラムを読み出して実行すると共に、入出力装置１２２からの操作コマンドの入力等に応じて記憶装置１２１ｃからレシピ等を読み出すように構成されている。ＣＰＵ１２１ａは、読み出したレシピの内容に沿うように、ＭＦＣ３１２ａ，３１２ｂ，３２２ａ，５１２ａ，５１２ｂ，５２２ａによる各種ガスの流量調整動作、バルブ３１４ａ，３１４ｂ，３２４ａ，５１４ａ，５１４ｂ，５２４ａの開閉動作、ＡＰＣバルブ２４３の開閉動作及びＡＰＣバルブ２４３による圧力センサ２４５に基づく圧力調整動作、温度センサ２６３に基づくヒータ２０７の温度調整動作、真空ポンプ２４６の起動及び停止、回転機構２６７によるボート２１７の回転及び回転速度調節動作、ボートエレベータ１１５によるボート２１７の昇降動作、ボート２１７へのウエハ２００の収容動作等を制御するように構成されている。
【００４０】
コントローラ１２１は、外部記憶装置（例えば、磁気テープ、フレキシブルディスクやハードディスク等の磁気ディスク、ＣＤやＤＶＤ等の光ディスク、ＭＯ等の光磁気ディスク、ＵＳＢメモリやメモリカード等の半導体メモリ）１２３に格納された上述のプログラムを、コンピュータにインストールすることにより構成することができる。記憶装置１２１ｃや外部記憶装置１２３は、コンピュータ読み取り可能な記録媒体として構成されている。以下、これらを総称して、単に、記録媒体ともいう。本明細書において記録媒体は、記憶装置１２１ｃ単体のみを含む場合、外部記憶装置１２３単体のみを含む場合、または、その両方を含む場合がある。なお、コンピュータへのプログラムの提供は、外部記憶装置１２３を用いず、インターネットや専用回線等の通信手段を用いて行ってもよい。
【００４１】
（２）基板処理工程（成膜工程）
半導体装置（デバイス）の製造工程の一工程として、ウエハ２００上に、金属膜を形成する工程の一例について、図７を用いて説明する。金属膜を形成する工程は、上述した基板処理装置１０の処理炉２０２を用いて実行される。以下の説明において、基板処理装置１０を構成する各部の動作はコントローラ１２１により制御される。
【００４２】
本明細書において「ウエハ」という言葉を用いた場合は、ウエハそのものを意味する場合や、ウエハとその表面に形成された所定の層や膜との積層体を意味する場合がある。本明細書において「ウエハの表面」という言葉を用いた場合は、ウエハそのものの表面を意味する場合や、ウエハ上に形成された所定の層等の表面を意味する場合がある。本明細書において「ウエハ上に所定の層を形成する」と記載した場合は、ウエハそのものの表面上に所定の層を直接形成することを意味する場合や、ウエハ上に形成されている層等の上に所定の層を形成することを意味する場合がある。本明細書において「基板」という言葉を用いた場合も、「ウエハ」という言葉を用いた場合と同義である。
【００４３】
（ウエハ搬入）
複数枚のウエハ２００がボート２１７に装填（ウエハチャージ）されると、図１に示されているように、複数枚のウエハ２００を支持したボート２１７は、ボートエレベータ１１５によって持ち上げられて処理室２０１内に搬入（ボートロード）される。この状態で、シールキャップ２１９はＯリング２２０を介してアウタチューブ２０３の下端開口を閉塞した状態となる。
【００４４】
（圧力調整および温度調整）
処理室２０１内が所望の圧力（真空度）となるように真空ポンプ２４６によって真空排気される。この際、処理室２０１内の圧力は、圧力センサ２４５で測定され、この測定された圧力情報に基づき、ＡＰＣバルブ２４３がフィードバック制御される（圧力調整）。真空ポンプ２４６は、少なくともウエハ２００に対する処理が完了するまでの間は常時作動させた状態を維持する。また、処理室２０１内が所望の温度となるようにヒータ２０７によって加熱される。この際、処理室２０１内が所望の温度分布となるように、温度センサ２６３が検出した温度情報に基づきヒータ２０７への通電量がフィードバック制御される（温度調整）。ヒータ２０７による処理室２０１内の加熱は、少なくともウエハ２００に対する処理が完了するまでの間は継続して行われる。
【００４５】
［ＴｉＮ層形成工程］
続いて、第１の金属層として例えば金属窒化層であるＴｉＮ層を形成するステップを実行する。
【００４６】
（ＴｉＣｌ４ガス供給（ステップＳ１０））
バルブ３１４ａを開き、ガス供給管３１０ａ内に原料ガスであるＴｉＣｌ４ガスを流す。ＴｉＣｌ４ガスは、ＭＦＣ３１２ａ，３１２ｂによりＴｉＣｌ４ガスの分圧バランスがウエハ２００の積載方向に沿って所定値となるよう流量調整され、ノズル４１０ａ，４１０ｂのガス供給孔４１１ａ，４１１ｂから処理室２０１内に供給され、排気管２３１から排気される。このとき、ウエハ２００に対してＴｉＣｌ４ガスが供給されることとなる。このとき同時にバルブ５１４ａ，５１４ｂを開き、ガス供給管５１０ａ，５１０ｂ内にＮ２ガス等の不活性ガスを流す。ガス供給管５１０ａ，５１０ｂ内を流れたＮ２ガスは、ＭＦＣ５１２ａ，５１２ｂにより流量調整され、ＴｉＣｌ４ガスと一緒に処理室２０１内に供給され、排気管２３１から排気される。なお、このとき、ノズル４２０ａ内へのＴｉＣｌ４ガスの侵入を防止するために、バルブ５２４ａを開き、ガス供給管５２０ａ内にＮ２ガスを流す。Ｎ２ガスは、ガス供給管３２０ａ、ノズル４２０ａを介して処理室２０１内に供給され、排気管２３１から排気される。
【００４７】
このときＡＰＣバルブ２４３を調整して、処理室２０１内の圧力を、例えば０．１〜６６５０Ｐａの範囲内の圧力とする。ＭＦＣ３１２ａ，３１２ｂで制御するＴｉＣｌ４ガスの供給流量は、例えば０．１〜２ｓｌｍの範囲内の流量とする。ＭＦＣ５１２ａ，５１２ｂ，５２２ａで制御するＮ２ガスの供給流量は、それぞれ例えば０．１〜３０ｓｌｍの範囲内の流量とする。ＴｉＣｌ４ガスをウエハ２００に対して供給する時間は、例えば０．０１〜２０秒の範囲内の時間とする。このときヒータ２０７の温度は、ウエハ２００の温度が、例えば２５０〜５５０℃の範囲内の温度となるような温度に設定する。なお、本明細書では、数値の範囲として、例えば、０．１〜６６５０Ｐａと記載した場合は、０．１Ｐａ以上６６５０Ｐａ以下を意味する。すなわち、数値の範囲には０．１Ｐａおよび６６５０Ｐａが含まれる。圧力のみにならず、流量、時間、温度等、本明細書に記載されるすべての数値についても同様である。
【００４８】
処理室２０１内に流しているガスはＴｉＣｌ４ガスとＮ２ガスのみであり、ＴｉＣｌ４ガスの供給により、ウエハ２００（表面の下地膜）上に、例えば１原子層未満から数原子層程度の厚さのＴｉ含有層が形成される。
【００４９】
（残留ガス除去（ステップＳ１１））
Ｔｉ含有層が形成された後、バルブ３１４ａ，３１４ｂを閉じ、ＴｉＣｌ４ガスの供給を停止する。このとき、排気管２３１のＡＰＣバルブ２４３は開いたままとして、真空ポンプ２４６により処理室２０１内を真空排気し、処理室２０１内に残留する未反応もしくはＴｉ含有層形成に寄与した後のＴｉＣｌ４ガスを処理室２０１内から排除する。このときバルブ５１４ａ，５１４ｂ，５２４ａは開いたままとして、Ｎ２ガスの処理室２０１内への供給を維持する。Ｎ２ガスはパージガスとして作用し、処理室２０１内に残留する未反応もしくはＴｉ含有層形成に寄与した後のＴｉＣｌ４ガスを処理室２０１内から排除する効果を高めることができる。
【００５０】
（ＮＨ３ガス供給（ステップＳ１２））
処理室２０１内の残留ガスを除去した後、バルブ３２４ａを開き、ガス供給管３２０ａ内に、反応ガスとしてＮ含有ガスであるＮＨ３ガスを流す。ＮＨ３ガスは、ＭＦＣ３２２ａにより流量調整され、ノズル４２０ａのガス供給孔４２１ａから処理室２０１内に供給され、排気管２３１から排気される。このときウエハ２００に対して、ＮＨ３ガスが供給されることとなる。このとき、バルブ５２４ａは閉じた状態として、Ｎ２ガスがＮＨ３ガスと一緒に処理室２０１内に供給されないようにする。すなわち、ＮＨ３ガスはＮ２ガスで希釈されることなく、処理室２０１内に供給され、排気管２３１から排気される。このとき、ノズル４１０ａ，４１０ｂ内へのＮＨ３ガスの侵入を防止するために、バルブ５１４ａ，５１４ｂを開き、ガス供給管５１０ａ，５１０ｂ内にＮ２ガスを流す。Ｎ２ガスは、ガス供給管３１０ａ，３１０ｂ、ノズル４１０ａ，４１０ｂを介して処理室２０１内に供給され、排気管２３１から排気される。この場合、反応ガス（ＮＨ３ガス）を、Ｎ２ガスで希釈することなく、処理室２０１内へ供給するので、ＴｉＮ層の成膜レートを向上させることが可能である。なお、ウエハ２００近傍におけるＮ２ガスの雰囲気濃度も調整可能である。
【００５１】
ＮＨ３ガスを流すときは、ＡＰＣバルブ２４３を調整して、処理室２０１内の圧力を、例えば０．１〜６６５０Ｐａの範囲内の圧力とする。ＭＦＣ３２２ａで制御するＮＨ３ガスの供給流量は、例えば０．１〜２０ｓｌｍの範囲内の流量とする。ＭＦＣ５１２ａで制御するＮ２ガスの供給流量は、それぞれ例えば０．１〜３０ｓｌｍの範囲内の流量とする。ＮＨ３ガスをウエハ２００に対して供給する時間は、例えば０．０１〜３０秒の範囲内の時間とする。このときのヒータ２０７の温度は、ＴｉＣｌ４ガス供給ステップと同様の温度に設定する。
【００５２】
このとき処理室２０１内に流しているガスは、ＮＨ３ガスとＮ２ガスのみである。ＮＨ３ガスは、ＴｉＣｌ４ガス供給ステップでウエハ２００上に形成されたＴｉ含有層の少なくとも一部と置換反応する。置換反応の際には、Ｔｉ含有層に含まれるＴｉとＮＨ３ガスに含まれるＮとが結合して、ウエハ２００上にＴｉとＮとを含むＴｉＮ層が形成される。
【００５３】
（残留ガス除去（ステップＳ１３））
ＴｉＮ層を形成した後、バルブ３２４ａを閉じて、ＮＨ３ガスの供給を停止する。そして、ステップＳ１１と同様の処理手順により、処理室２０１内に残留する未反応もしくはＴｉＮ層の形成に寄与した後のＮＨ３ガスや反応副生成物を処理室２０１内から排除する。
【００５４】
（所定回数実施）
上記したステップＳ１０〜ステップＳ１３を順に行うサイクルを１回以上（所定回数（ｎ回））行うことにより、ウエハ２００上に、所定の厚さ（例えば０．１〜２ｎｍ）のＴｉＮ層を形成する。上述のサイクルは、複数回繰り返すのが好ましく、例えば１０〜８０回ほど行うことが好ましく、より好ましくは１０〜１５回ほど行う。
【００５５】
（アフターパージおよび大気圧復帰）
ガス供給管５１０ａ，５１０ｂ，５２０ａのそれぞれからＮ２ガスを処理室２０１内へ供給し、排気管２３１から排気する。Ｎ２ガスはパージガスとして作用し、これにより処理室２０１内が不活性ガスでパージされ、処理室２０１内に残留するガスや副生成物が処理室２０１内から除去される（アフターパージ）。その後、処理室２０１内の雰囲気が不活性ガスに置換され（不活性ガス置換）、処理室２０１内の圧力が常圧に復帰される（大気圧復帰）。
【００５６】
（ウエハ搬出）
その後、ボートエレベータ１１５によりシールキャップ２１９が下降されて、アウタチューブ２０３の下端が開口される。そして、処理済ウエハ２００がボート２１７に支持された状態でアウタチューブ２０３の下端からアウタチューブ２０３の外部に搬出（ボートアンロード）される。その後、処理済のウエハ２００は、ボート２１７より取り出される（ウエハディスチャージ）。
【００５７】
次に、上述したステップＳ１０において、ノズル４１０ａ，４１０ｂに供給されるＴｉＣｌ４ガスの流量の調整とその効果とを、図８及び図９を用いて説明する。
【００５８】
図８及び図９において、ノズル４１０ａ，４１０ｂからＴｉＣｌ４ガスが処理室２０１内に供給されている場合である。また、図８及び図９において、ノズルから右の方向へガスが流れ、直線の長さはガスの分圧またはガスの流量を示すものとする。
【００５９】
図８（ａ）は、ノズル４１０ａへのＴｉＣｌ４ガスの流量を比較的多量（１．５）とし、ノズル４１０ｂへのＴｉＣｌ４ガスの流量を比較的少量（０．５）とした場合の処理室２０１のガスの流れを概念的に示している。図８（ｂ）は、ノズル４１０ａへのＴｉＣｌ４ガスの流量とノズル４１０ｂへのＴｉＣｌ４ガスの流量とを同量（１．０）とした場合の処理室２０１のガスの流れを概念的に示している。図８（ｃ）は、ノズル４１０ａへのＴｉＣｌ４ガスの流量を比較的少量（０．５）とし、ノズル４１０ｂへのＴｉＣｌ４ガスの流量を比較的多量（１．５）とした場合の処理室２０１のガスの流れを概念的に示している。
【００６０】
図８（ａ）の例では、ノズル４１０ａ，４１０ｂの下部領域のＴｉＣｌ４ガスの流量および分圧が、ノズル４１０ａ，４１０ｂの上部領域のＴｉＣｌ４ガスの流量および分圧と比較して、少なくなる。つまり、上部領域のＴｉＣｌ４ガス供給量が下部領域のそれより多くなり、それに伴い上部領域のＴｉＣｌ４ガスの分圧が下部領域より高くなる分圧バランスを作り込むことができる。したがって、下部領域に位置するウエハ２００に形成されるＴｉＮ層の膜厚を薄く、上部領域に位置するウエハ２００に形成されるＴｉＮ層の膜厚を厚く形成させることができる。
【００６１】
図８（ｂ）の例では、ノズル４１０ａ，４１０ｂの下部領域のＴｉＣｌ４ガスの流量および分圧と、ノズル４１０ａ，４１０ｂの上部領域のＴｉＣｌ４ガスの流量および分圧と、が同程度になる。つまり、上部領域のＴｉＣｌ４ガス供給量が下部領域のそれと同程度なり、それに伴い上部領域のＴｉＣｌ４ガスの分圧が下部領域と同程度となる分圧バランスを作り込むことができる。したがって、下部領域に位置するウエハ２００に形成されるＴｉＮ層の膜厚と、上部領域に位置するウエハ２００に形成されるＴｉＮ層の膜厚と、を同程度に形成させることができる。
【００６２】
図８（ｃ）の例では、ノズル４１０ａ，４１０ｂの下部領域のＴｉＣｌ４ガスの流量および分圧が、ノズル４１０ａ，４１０ｂの上部領域のＴｉＣｌ４ガスの流量および分圧と比較して、大きくなる。つまり、下部領域のＴｉＣｌ４ガスの供給量が上部領域のそれより多くなり、それに伴い下部領域のＴｉＣｌ４ガスの分圧が上部領域より高くなる分圧バランスを作り込むことができる。したがって、上部領域に位置するウエハ２００に形成されるＴｉＮ層の膜厚を薄く、下部領域に位置するウエハ２００に形成されるＴｉＮ層の膜厚を厚く形成させることができる。
【００６３】
図９（ａ）は、ノズル４１０ａ，４１０ｂへのＴｉＣｌ４ガスの流量を、図８（ｂ）のノズル４１０ａ，４１０ｂへのＴｉＣｌ４ガスの流量と同量（１．０）とした場合の処理室２０１のガスの流れを概念的に示している。図９（ｂ）は、ノズル４２０ａ，４２０ｂへのＴｉＣｌ４ガスの流量を図８（ｂ）のノズル４１０ａ，４１０ｂへのＴｉＣｌ４ガスの流量の２倍の量（２．０）とした場合の処理室２０１のガスの流れを概念的に示している。図９（ｃ）は、ノズル４１０ａ，４１０ｂへのＴｉＣｌ４ガスの流量を図８（ｂ）のノズル４１０ａ，４１０ｂへのＴｉＣｌ４ガスの流量の１／２の量（０．５）とした場合の処理室２０１のガスの流れを概念的に示している。
【００６４】
図９（ｂ）の例では、ノズル４１０ａ，４１０ｂの上部領域および下部領域のＴｉＣｌ４ガスの流量および分圧が、ノズル４１０ａ，４１０ｂの中央部領域のＴｉＣｌ４ガスの流量および分圧と比較して、大きくなり、また、図８（ｂ）の例よりも流量および分圧が大きくなる。つまり、上部領域および下部領域のＴｉＣｌ４ガス供給量が中央部領域のそれより多くなり、それに伴い上部領域および下部領域のＴｉＣｌ４ガスの分圧が中央部領域より高くなる分圧バランスを作り込むことができる。したがって、中央部領域に位置するウエハ２００に形成されるＴｉＮ層の膜厚を薄く、上部領域および下部領域に位置するウエハ２００に形成されるＴｉＮ層の膜厚を厚く、図８（ｂ）よりもウエハ２００に形成されるＴｉＮ層の膜厚を厚く形成させることができる。
【００６５】
図９（ｃ）の例では、ノズル４１０ａ，４１０ｂの上部領域および下部領域のＴｉＣｌ４ガスの流量および分圧が、ノズル４１０ａ，４１０ｂの中央部領域のＴｉＣｌ４ガスの流量および分圧と比較して、大きくなり、また、図８（ｂ）の例よりも流量および分圧が少なくなる。つまり、上部領域および下部領域のＴｉＣｌ４ガス供給量が中央部領域のそれより多くなり、それに伴い上部領域および下部領域のＴｉＣｌ４ガスの分圧が中央部領域より高くなる分圧バランスを作り込むことができる。したがって、中央部領域に位置するウエハ２００に形成されるＴｉＮ層の膜厚を薄く、上部領域および下部領域に位置するウエハ２００に形成されるＴｉＮ層の膜厚を厚く、図８（ｂ）よりもウエハ２００に形成されるＴｉＮ層の膜厚を薄く形成させることができる。
【００６６】
図８及び図９から理解されるように、図３のノズル４１０ａおよび図４のノズル４１０ｂを用い、ノズル４１０ａ，４１０ｂへ供給される処理ガス（ＴｉＣｌ４ガス）の流量を調整することで、ノズル４１０ａ，４１０ｂの各ガス供給孔４１１ａ，４１１ｂから処理室２０１内に供給される処理ガスの分圧バランスが所望の分圧バランスの値となる様に調整することが可能である。これにより、処理室２０１内に積載されたウエハ２００間のＴｉＮ層の膜厚の均一性を向上させることが可能となる。
【００６７】
以上で説明した第１の実施形態によれば、以下の１つまたは複数の効果を得ることができる。
【００６８】
１）図３に示される様な、複数のガス供給孔４１１ａの孔径が上流側から下流側へ向かって、広くなる開口面積を備えるノズル４１０ａおよび複数のガス供給孔４１１ｂの孔径が下流側から上流側へ向かって、広くなる開口面積を備えるノズル４１０ｂを用い、ノズル４１０ａ，４１０ｂへ供給する原料ガス（ＴｉＣｌ４ガス）の流量を調整することにより、処理室２０１内の原料ガス（ＴｉＣｌ４ガス）の分圧バランスを調整することが可能になる。
【００６９】
２）上記１）により、処理室内に積載された複数の基板において、各基板の面間の膜厚バランスを調整することが可能になる。
【００７０】
＜第１の実施形態の変形例＞
上述の第１の実施形態では、吹き出し特性が異なる２本のノズルに原料ガスを供給し、１本のノズルに反応ガスを供給する例を示した。第１の実施形態の変形例では、吹き出し特性が異なる２本のノズルに反応ガスを供給し、１本のノズルに原料ガスを供給する。以下、第1の実施形態との相違点を中心に説明する。
【００７１】
第１の実施形態の変形例では、ガス供給管３２０ａからは、処理ガスとして、第１の実施形態と同様の原料ガスが、ＭＦＣ３２２ａ、バルブ３２４ａ、ノズル４２０ａを介して処理室２０１内に供給される。
【００７２】
ガス供給管３１０ａ，３１０ｂからは、処理ガスとして、第１の実施形態と同様の反応ガスが、ＭＦＣ３１２ａ，３１２ｂ、バルブ３１４ａ，３１４ｂ、ノズル４１０ａ，４１０ｂを介して処理室２０１内に供給される。
【００７３】
第１の実施形態と同様に、図３のノズル４１０ａおよび図４のノズル４１０ｂを用い、ノズル４１０ａ，４１０ｂへ供給される処理ガス（ＮＨ３ガス）の流量を調整することで、ノズル４１０ａ，４１０ｂの各ガス供給孔４１１ａ，４１１ｂから処理室２０１内に供給される処理ガスの分圧バランスが所望の分圧バランスの値となる様に調整することが可能である。これにより、処理室２０１内に積載されたウエハ２００間のＴｉＮ層の膜厚の均一性を向上させることが可能となる。なお、ノズル４１０ａ，４１０ｂへ供給されるパージガス（Ｎ２ガス）の流量を調整することで、ノズル４１０ａ，４１０ｂの各ガス供給孔４１１ａ，４１１ｂから処理室２０１内に供給されるパージガスの分圧バランスが所望の分圧バランスの値となる様に調整することも可能である。
【００７４】
＜第２の実施形態＞
上述の第１の実施形態では、同種の処理ガスを供給される吹き出し特性が異なる２本のノズルと、別の処理ガスを供給する１本のノズルと、を設ける例を示した。第２の実施形態では、同種のガスを供給し吹き出し特性が異なる２本のノズルを２組設ける。以下、第１の実施形態との相違点を中心に説明する。
【００７５】
図１２に示すように、処理室２０１内には、ノズル４１０ａ（第１のノズル），４１０ｂ（第２のノズル），４２０ａ（第３のノズル），４２０ｂ（第４のノズル）がマニホールド２０９の側壁及びインナチューブ２０４を貫通するように設けられている。ノズル４１０ａ，４１０ｂ，４２０ａ，４２０ｂには、ガス供給ラインとしてのガス供給管３１０ａ，３１０ｂ，３２０ａ，３２０ｂが、それぞれ接続されている。図１１に示すように、基板処理装置１０には４本のノズル４１０ａ，４１０ｂ，４２０ａ，４２０ｂと、４本のガス供給管３１０ａ，３１０ｂ，３２０ａ，３２０ｂとが設けられており、処理室２０１内へ複数種類のガスを供給することができるように構成されている。ただし、本実施形態の処理炉２０２は上述の形態に限定されない。
【００７６】
図１、１０に示すように、ガス供給管３１０ａ，３１０ｂ，３２０ａ，３２０ｂには上流側から順にＭＦＣ３１２ａ，３１２ｂ，３２２ａ，３２２ｂ及びバルブ３１４ａ，３２４ｂ，３２４ａ，３２４ｂがそれぞれ設けられている。また、ガス供給管３１０ａ３１０ｂ，３２０ａ，３２０ｂのバルブ３１４ａ，３１４ｂ，３２４ａ，３２４ｂの下流側には、不活性ガスを供給するガス供給管５１０ａ，５１０ｂ，５２０ａ，５２０ｂがそれぞれ接続されている。ガス供給管５１０ａ５１０ｂ，５２０ａ，５２０ｂには、上流側から順に、ＭＦＣ５１２ａ５１２ｂ，５２２ａ，５２２ｂ及びバルブ５１４ａ，５１４ｂ，５２４ａ，５２４ｂがそれぞれ設けられている。
【００７７】
図１１に示すように、ガス供給管３１０ａ，３１０ｂ，３２０ａ，３２０ｂの先端部にはノズル４１０ａ，４１０ｂ，４２０ａ，４２０ｂがそれぞれ連結接続されている。ノズル４１０ａ，４１０ｂ，４２０ａ，４２０ｂは、Ｌ字型のノズルとして構成されており、その水平部はマニホールド２０９の側壁及びインナチューブ２０４を貫通するように設けられている。ノズル４１０ａ，４１０ｂ，４２０ａ，４２０ｂの垂直部は、インナチューブ２０４の径方向外向きに突出し、かつ鉛直方向に延在するように形成されているチャンネル形状（溝形状）の予備室２０１ａの内部に設けられており、予備室２０１ａ内にてインナチューブ２０４の内壁に沿って上方に向かって設けられている。
【００７８】
ノズル４１０ａ，４１０ｂ，４２０ａ，４２０ｂは、処理室２０１の下部領域から処理室２０１の上部領域まで延在するように設けられており、ウエハ２００と対向する位置にそれぞれ複数のガス供給孔４１１ａ，４１１ｂ，４２１ａ，４２２ｂが設けられている。これにより、ノズル４１０ａ，４１０ｂ，４２０ａ，４２０ｂのガス供給孔４１１ａ，４１１ｂ，４２１ａ，４２２ｂからそれぞれウエハ２００に処理ガスを供給する。ノズル４１０ａ，４２０ａのガス供給孔４１１ａ，４２１ａの構成は図３のノズル４１０ａのガス供給孔４１１ａと同様な構成であり、ノズル４１０ｂ，４２０ｂのガス供給孔４１１ｂ，４２１ｂの構成は図４のノズル４１０ｂのガス供給孔４１１ｂ同様な構成である。
【００７９】
ガス供給管３１０ａ，３１０ｂからは、処理ガスとして、第１の実施形態と同様の原料ガスが、ＭＦＣ３１２ａ，３１２ｂ、バルブ３１４ａ，３１４ｂ、ノズル４１０ａ，４１０ｂを介して処理室２０１内に供給される。
【００８０】
ガス供給管３２０ａ，３２０ｂからは、処理ガスとして、第１の実施形態と同様の反応ガスが、ＭＦＣ３２２ａ，３２２ｂ、バルブ３２４ａ，３２４ｂ、ノズル４２０ａ，４２０ｂを介して処理室２０１内に供給される。
【００８１】
ガス供給管５１０ａ，５１０ｂ，５２０ａ，５２０ｂからは、不活性ガスとして、第１の実施形態と同様のガスが、それぞれＭＦＣ５１２ａ，５１２ｂ，５２２ａ，５２２ｂ、バルブ５１４ａ，５１４ｂ，５２４ａ，５２４ｂ、ノズル４１０ａ，４１０ｂ，４２０ａ，４２０ｂを介して処理室２０１内に供給される。
【００８２】
（第２の実施形態：ＴｉＣｌ４ガス供給（ステップＳ１０））
バルブ３１４ａ，３１４ｂを開き、ガス供給管３１０ａ，３１０ｂ内に原料ガスであるＴｉＣｌ４ガスを流す。ＴｉＣｌ４ガスは、ＭＦＣ３１２ａ，３１２ｂにより流量調整され、ノズル４１０ａ，４１０ｂのガス供給孔４１１ａ，４１１ｂ４１０ａから処理室２０１内に供給され、排気管２３１から排気される。このとき、ウエハ２００に対してＴｉＣｌ４ガスが供給されることとなる。このとき同時にバルブ５１４ａ，５１４ｂを開き、ガス供給管５１０ａ，５１０ｂ内にＮ２ガス等の不活性ガスを流す。ガス供給管５１０ａ，５１０ｂ内を流れたＮ２ガスは、ＭＦＣ５１２ａ，５１２ｂにより流量調整され、ＴｉＣｌ４ガスと一緒に処理室２０１内に供給され、排気管２３１から排気される。なお、このとき、ノズル４２０ａ，４２０ｂ内へのＴｉＣｌ４ガスの侵入を防止すると共に処理ガスの濃度分布を調整するために、バルブ５２４ａ，５２４ｂを開き、ガス供給管５２０ａ，５２０ｂ内にＮ２ガスを流す。Ｎ２ガスは、ガス供給管３２０ａ，３２０ｂ、ノズル４２０ａ，４２０ｂを介して処理室２０１内に供給され、排気管２３１から排気される。
【００８３】
（第２の実施形態：ＮＨ３ガス供給（ステップＳ１２））
処理室２０１内の残留ガスを除去した後、バルブ３２４ａ，３２４ｂを開き、ガス供給管３２０ａ，３２０ｂ内に、反応ガスとしてＮ含有ガスであるＮＨ３ガスを流す。ＮＨ３ガスは、ＭＦＣ３２２ａ，３２２ｂによりＮＨ３ガスの分圧バランスがウエハ２００の積載方向に沿って所定値となるよう流量調整され、ノズル４２０ａ，４２０ｂのガス供給孔４２１ａ，４２１ｂから処理室２０１内に供給され、排気管２３１から排気される。このときウエハ２００に対して、ＮＨ３ガスが供給されることとなる。このとき、バルブ５２４ａ，５２４ｂは閉じた状態として、Ｎ２ガスがＮＨ３ガスと一緒に処理室２０１内に供給されないようにする。すなわち、ＮＨ３ガスはＮ２ガスで希釈されることなく、処理室２０１内に供給され、排気管２３１から排気される。このとき、ノズル４１０ａ，４１０ｂ内へのＮＨ３ガスの侵入を防止すると共に反応ガスの濃度分布を調整するために、バルブ５１４ａ，５１４ｂを開き、ガス供給管５１０ａ，５１０ｂ内にＮ２ガスを流す。Ｎ２ガスは、ガス供給管３１０ａ，３１０ｂ、ノズル４１０ａ，４１０ｂを介して処理室２０１内に供給され、排気管２３１から排気される。この場合、反応ガス（ＮＨ３ガス）を、Ｎ２ガスで希釈することなく、処理室２０１内へ供給するので、ＴｉＮ層の成膜レートを向上させることが可能である。なお、ウエハ２００近傍におけるＮ２ガスの雰囲気濃度も調整可能である。
【００８４】
次に、上述した第２の実施形態のステップＳ１０において、ノズル４２０ａ，４２０ｂに供給されるＮ２ガスの流量の調整とその効果を、図１２を用いて説明する。
【００８５】
図１２において、ノズル４１０ａ，４１０ｂからＴｉＣｌ４ガスが処理室２０１内に供給され、ノズル４２０ａ，４２０ｂからＮ２ガスが処理室２０１内に供給されている場合である。また、図１２において、ノズルから右の方向へガスが流れ、直線の長さはガスの分圧またはガスの流量または濃度分布を示すものとする。ノズル４１０ａ，４１０ｂを合わせてノズル４１０と表し、ノズル４２０ａ，４２０ｂを合わせてノズル４２０と表している。
【００８６】
図１２（ａ）は、ノズル４１０ａ，４１０ｂの流量を図１０（ａ）と同量とし、ノズル４２０ａ，４２０ｂへのＮ２ガスの流量を図１０（ｂ）と同量とした場合の処理室２０１のガスの流れを概念的に示している。図１０（ｂ）は、ノズル４１０ａ，４１０ｂの流量を図１０（ｂ）と同量とし、ノズル４２０ａ，４２０ｂへのＮ２ガスの流量を図１０（ａ）と同量とした場合の処理室２０１のガスの流れを概念的に示している。
【００８７】
図１２（ａ）の例では、ノズル４２０ａ，４２０ｂの上部領域および下部領域のＮ２ガスの流量および分圧が、ノズル４２０ａ，４２０ｂの中央部領域のＮ２ガスの流量および分圧と比較して、大きくなる。つまり、図の右端に示すように、中央部領域のＴｉＣｌ４ガスの濃度が上部領域および下部領域のそれより高くなる濃度分布を作り込むことができる。この場合、第１の実施形態と比較して濃度分布の変化は緩やかである。したがって、上部領域および下部領域に位置するウエハ２００に形成されるＴｉＮ層の膜厚を薄く、中央部領域に位置するウエハ２００に形成されるＴｉＮ層の膜厚を厚く形成させることができる。
【００８８】
図１２（ｂ）の例では、ノズル４１０ａ，４１０ｂの上部領域および下部領域のＴｉＣｌ４ガスの流量および分圧が、ノズル４１０ａ，４１０ｂの中央部領域のＴｉＣｌ４ガスの流量および分圧と比較して、大きくなる。つまり、図の右端に示すように、上部領域および下部領域のＴｉＣｌ４ガスの濃度が中央部領域のそれより高くなる濃度分布を作り込むことができる。この場合、第１の実施形態と比較して濃度分布の変化は緩やかである。したがって、上部領域および下部領域に位置するウエハ２００に形成されるＴｉＮ層の膜厚を厚く、中央部領域に位置するウエハ２００に形成されるＴｉＮ層の膜厚を薄く形成させることができる。
【００８９】
上述した第２の実施形態のステップＳ１２において、ノズル４１０ａ，４１０ｂに供給されるＮ２ガスの流量の調整は図１２の説明と同様にＮＨ３ガスの濃度分布を作り込むことができる。
【００９０】
第２の実施形態によれば、以下の効果を得ることが出来る。
【００９１】
１）ノズル４１０ａ，４１０ｂへ供給する原料ガス（ＴｉＣｌ４ガス）の流量を調整し、ノズル４２０ａ，４２０ｂへ供給する反応ガス（ＮＨ３ガス）の流量を調整することにより、処理室２０１内の原料ガス（ＴｉＣｌ４ガス）および反応ガス（ＮＨ３ガス）の分圧バランスを調整することが可能になる。
【００９２】
２）ノズル４１０ａ，４１０ｂへ供給する原料ガス（ＴｉＣｌ４ガス）の流量を調整し、ノズル４２０ａ，４２０ｂへ供給する逆流防止用のＮ２ガスの流量を調整することにより、処理室２０１内の原料ガス（ＴｉＣｌ４ガス）の濃度分布を調整することが可能になる。
【００９３】
３）ノズル４２０ａ，４２０ｂへ供給する反応ガス（ＮＨ３ガス）の流量を調整し、ノズル４１０ａ，４１０ｂへ供給する逆流防止用のＮ２ガスの流量を調整することにより、処理室２０１内の反応ガス（ＮＨ３ガス）の濃度分布を調整することが可能になる。
【００９４】
４）上記１）〜３）の何れかにより、処理室内に積載された複数の基板において、各基板の面間の膜厚バランスを調整することが可能になる。
【００９５】
本開示の実施形態および変形例を説明してきたが、本開示は縦型成膜装置で形成ないし使用されるすべての膜種、ガス種に適用可能である。
【００９６】
以上、本開示の種々の典型的な実施形態及び変形例を説明してきたが、本開示はそれらの実施形態及び変形例に限定されず、適宜組み合わせて用いることもできる。
【００９７】
バルブ３２４ｂ，５２４ｂを閉じてノズル４２０ｂに処理ガスおよび不活性ガスを供給しないようにして、第１の実施形態または第１の実施形態の変形例と同様に成膜処理を行ってもよい。
【００９８】
上述の第１および第２の実施形態では、ガスを供給するノズルにおいて吹き出し特性が異なるノズルを２本設ける例を示した。しかし、吹き出し特性が異なるノズルは２本に限定されるものではなく、同種ガスを供給し面間の吹き出し量・ガス濃度バランスを調整可能であればよく、ノズルは３本以上あってもよい。
【符号の説明】
【００９９】
１０・・・基板処理装置
２００・・・ウエハ（基板）
２０１・・・処理室
４１０ａ・・・ノズル（第１のノズル）
４１０ｂ・・・ノズル（第２のノズル）
４２０ａ・・・ノズル（第３のノズル）
【図１】
2020194433.tif 000003
【図２】
2020194433.tif 000004
【図３】
2020194433.tif 000005
【図４】
2020194433.tif 000006
【図５】
2020194433.tif 000007
【図６】
2020194433.tif 000008
【図７】
2020194433.tif 000009
【図８】
2020194433.tif 000010
【図９】
2020194433.tif 000011
【図１０】
2020194433.tif 000012
【図１１】
2020194433.tif 000013
【図１２】
2020194433.tif 000014
【国際調査報告】
2020194433.tif 000015
2020194433.tif 000016
2020194433.tif 000017
2020194433.tif 000018